(57)【要約】【課題】ダイカスト機水平軸に対して傾斜する射出部でありながら、金型スリーブの交換組付け段取りを確実容易とし、ビスケット空間を最小化でき、温度調整部材の設置を簡単に確保でき、離型性を向上させる。【解決手段】射出部１は、プランジャ摺動路７の軸線Ｌ１がダイカスト機水平軸Ｌ２に対して傾斜角θに傾斜される射出スリーブ４と、射出スリーブ４の延長上かつ固定金型５内に設けられる金型スリーブ６とを有し、プランジャ２のプランジャ前面１０が傾斜角θ傾いて鉛直状態となり、金型スリーブ６の外周部１２がダイカスト機水平軸Ｌ２に対して平行な周面を有し、位置決め段差１４を有し、接合部１３が射出スリーブ端部４ａと嵌合可能として、プランジャ摺動路７を同一に接合し、金型スリーブ６が固定金型５と同長であり、ビスケット空間８の前端面８ａが可動金型１１の端面１１ａであり、周面９が拡開状であり、後端面８ｂがプランジャ前面１０である。【選択図】図１
2005161353.tif 000002
【特許請求の範囲】
【請求項１】
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記プランジャのプランジャ前面が前記傾斜角θの傾きを有し、前記プランジャがプランジャ摺動路内を摺動する際に前記プランジャ前面を鉛直状態として、充填終了工程にて可動金型と対向平行状態となってビスケット空間を形成することを、特徴とするダイカスト機の射出部。
【請求項２】
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記金型スリーブは、外周部が前記プランジャ摺動路の軸線に対して前記傾斜角θ分傾斜してダイカスト機水平軸に対して平行な周面を有し、軸方向に位置決め段差を有し、接合部が前記プランジャ摺動路の射出スリーブ側端面部において、前記射出スリーブ端部の外径と嵌合可能な内径を有し、この嵌合を基準として前記射出スリーブに対して前記プランジャ摺動路を同一軸心状態に接合可能とされ、
前記金型スリーブの長さは、両端面部が固定金型に取付後に固定金型の前後端面と面一状態となる長さであることを、特徴とするダイカスト機の射出部。
【請求項３】
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記金型スリーブの可動金型側端面部に設ける前記ビスケット空間の前端面が、可動金型の端面によって形成され、前記ビスケット空間の周面が、前端面方向へ拡開状であり、前記ビスケット空間の後端面が、前記プランジャ摺動路と連通し、充填終了時に前記プランジャのプランジャ前面によって形成されることを、特徴とするダイカスト機の射出部。
【請求項４】
プランジャが請求項１に記載されるプランジャであり、金型スリーブが請求項２に記載される金型スリーブであることを、特徴とするダイカスト機の射出部。
【請求項５】
プランジャが請求項１に記載されるプランジャであり、金型スリーブが請求項３に記載される金型スリーブであることを、特徴とするダイカスト機の射出部。
【請求項６】
金型スリーブが請求項２及び３に記載される金型スリーブであることを、特徴とするダイカスト機の射出部。
【請求項７】
プランジャが請求項１に記載されるプランジャであり、金型スリーブが請求項２及び３に記載される金型スリーブであることを、特徴とするダイカスト機の射出部。
【請求項８】
上記金型スリーブの接合部は、内周面が上記プランジャ摺動路に対して傾斜角θ分傾斜して、ダイカスト機水平軸と平行状態とされ、上記射出スリーブの端部は、前記接合部と嵌合する部分の外周面が上記プランジャ摺動路に対して傾斜角θ分傾斜して、ダイカスト機水平軸と平行状態とされることを、特徴とする請求項２，４，６及び７に記載されるダイカスト機の射出部。
【発明の詳細な説明】
【技術分野】
【０００１】
本発明は、コールドチャンバ式ダイカスト機の射出部に関し、特に射出部のプランジャ摺動路の軸線がダイカスト機水平軸に対して傾斜している形式の射出部に関する。
【背景技術】
【０００２】
ダイカスト機として、コールドチャンバ式が広く使用されており、主要構成としては、型締部、射出部及び金型となっている（ＪＩＳ  Ｂ  ６６１２参照）。また、金型である固定金型と可動金型との間には、図４に示すように、ビスケット空間２５、湯道２６（必要な場合湯口も付加される。）及びキャビティ２７が設けられている。このビスケット空間２５は、プランジャ２３が充填量に応じて充填終了位置を変える場合に、その許容範囲を確保するために使用される。そして、キャビティ２７にダイカスト品が形成される時、湯道２６を介してダイカスト品と連続しているビスケットがビスケット空間２５内に成形されるが、不要部分であるためにダイカスト品からカットされる。
【０００３】
一般的な横形ダイカスト機の射出部は、特許文献１，２において一般技術として開示されており、図4に示すように、ダイカスト機の水平軸に対して平行に射出スリーブ２１を固定盤３内に設け、固定金型５内にブッシュ２２（金型スリーブ）を設け、プランジャ２３が充填時にブッシュ２２内まで摺動可能としている。しかし、射出スリーブ２１のプランジャ摺動路２１ａが水平であるため、プランジャ充填工程では空気の巻き込みが生じ易い。また、給湯口２４から溶湯を入れる時、垂直に当るためプランジャ摺動路２１ａが溶損されるだけでなく、滞留する溶湯によっても損なわれ、射出スリーブ２１の寿命が短くなって、頻繁な交換を必要としてしまう。
【０００４】
これに対して、特許文献３にも開示され、図５に示すように、プランジャ摺動路２１ａの軸線Ｌ１がダイカスト機水平軸Ｌ２に対して傾斜するように、略円筒状の射出スリーブ２１を固定盤３内斜めに配設する形式の射出部がある。この傾斜させた射出スリーブ２１を採用すれば、プランジャ充填工程における空気の巻き込みを可及的に防止できる。また、給湯口２４から溶湯を入れる場合でも斜めに流れ落ち、射出スリーブ２１内に溶湯が滞留することがないために、プランジャ摺動路２１ａが溶損されることがなくなり、寿命が延びる。さらに、固定金型５内に延長スリーブ２２（金型スリーブ）を設け、内周面がビスケット空間２５の周面を形成し、この延長スリーブ２２の内周上面２２ａが拡開状に面取りされ、下側に温度調整部材２８が配置される。これによって、ビスケット空間２５内に可及的に薄いビスケットを形成し、離型性を確保している。
【特許文献１】特開平８−２５７７３１号公開公報
【特許文献２】特開平１０−３２８８０４号公開公報
【特許文献３】特開２００３−２５１４４９号公開公報
【発明の開示】
【発明が解決しようとする課題】
【０００５】
上述特許文献３に開示される射出部では、プランジャ摺動路２１ａの軸線Ｌ１がダイカスト機水平軸Ｌ２に対して傾斜するように（傾斜角θ）、略円筒状の各スリーブ２１，２２が斜めに配設されている。しかし、横形ダイカスト機では固定盤３，固定金型５及び可動金型１１をダイカスト機水平軸Ｌ２に対して平行方向に配設することを基準としている。このため、各スリーブ２１，２２を交換する組付段取り工程が煩雑になり問題である。即ち、交換組付段取りは、先ず延長スリーブ２２が固定金型５に組み付けられ、射出スリーブ２１も固定盤３に組み付けられる。次に、この固定金型５が固定盤３に組み付けられ、延長スリーブ２２と射出スリーブ２１が同軸（Ｌ１）上に配設される。ここで、固定金型５への延長スリーブ２２の係合が斜めとなって煩雑であり、更に射出スリーブ２１が傾斜しているため、固定金型５の固定盤３への係合も煩雑となって問題となる。他方、キャビティ２７，ビスケット空間２５等は、ダイカスト機水平軸Ｌ２に対して鉛直状態であるため、傾斜したプランジャ摺動路２１ａにおいて、プランジャ２３のプランジャ前面２３ａも斜めとなって余分なビスケット空間２５を形成してしまう問題もある。また、温度調整部材２８の設置箇所である延長スリーブ２２が傾斜状態のために、設置が簡単に確保できないという問題もある。
【０００６】
本発明は上述した問題に鑑みてなされたもので、その目的とするところは、ダイカスト機水平軸に対して傾斜するプランジャ摺動路を有する金型スリーブ及び射出スリーブの射出部でありながら、金型スリーブの交換組付け段取りを確実容易とし、また、ビスケット空間を更に最小化でき、温度調整部材の設置を簡単に確保でき、更に離型性を向上させることのできるダイカスト機の射出部を提供することである。
【課題を解決するための手段】
【０００７】
上記目的を達成するため、請求項１に係るダイカスト機の射出部は、
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記プランジャのプランジャ前面が前記傾斜角θの傾きを有し、前記プランジャがプランジャ摺動路内を摺動する際に前記プランジャ前面を鉛直状態として、充填終了工程にて可動金型と対向平行状態となってビスケット空間を形成する。
【０００８】
また、請求項２に係るダイカスト機の射出部は、
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記金型スリーブは、外周部が前記プランジャ摺動路の軸線に対して前記傾斜角θ分傾斜してダイカスト機水平軸に対して平行な周面を有し、軸方向に位置決め段差を有し、接合部が前記プランジャ摺動路の射出スリーブ側端面部において、前記射出スリーブ端部の外径と嵌合可能な内径を有し、この嵌合を基準として前記射出スリーブに対して前記プランジャ摺動路を同一軸心状態に接合可能とされ、
前記金型スリーブの長さは、両端面部が固定金型に取付後に固定金型の前後端面と面一状態となる長さである。
【０００９】
また、請求項３に係るダイカスト機の射出部は、
プランジャ摺動路の軸線がダイカスト機水平軸に対して傾斜角θに傾斜される射出スリーブと、
前記射出スリーブの延長線上かつ固定金型内に設けられ、前記プランジャ摺動路が延長され、前記射出スリーブからプランジャが連続的に摺動可能とされ、ビスケット空間の周面を内周面が形成する金型スリーブとを、有するコールドチャンバ式ダイカスト機の射出部において、
前記金型スリーブの可動金型側端面部に設ける前記ビスケット空間の前端面が、可動金型の端面によって形成され、前記ビスケット空間の周面が、前端面方向へ拡開状であり、前記ビスケット空間の後端面が、前記プランジャ摺動路と連通し、充填終了時に前記プランジャのプランジャ前面によって形成される。
【００１０】
また、請求項４に係るダイカスト機の射出部は、
プランジャが請求項１に記載されるプランジャであり、金型スリーブが請求項２に記載される金型スリーブである。
また、請求項５に係るダイカスト機の射出部は、
プランジャが請求項１に記載されるプランジャであり、金型スリーブが請求項３に記載される金型スリーブである。
また、請求項６に係るダイカスト機の射出部は、
金型スリーブが請求項２及び３に記載される金型スリーブである。
また、請求項７に係るダイカスト機の射出部は、
プランジャが請求項１に記載されるプランジャであり、金型スリーブが請求項２及び３に記載される金型スリーブである。
【００１１】
また、請求項８に係るダイカスト機の射出部は、上記請求項２，４，６及び７の射出部に対して、
上記金型スリーブの接合部は、内周面が上記プランジャ摺動路に対して傾斜角θ分傾斜して、ダイカスト機水平軸と平行状態とされ、上記射出スリーブの端部は、前記接合部と嵌合する部分の外周面が上記プランジャ摺動路に対して傾斜角θ分傾斜して、ダイカスト機水平軸と平行状態とされる。
【発明の効果】
【００１２】
上述の請求項１乃至８に係るダイカスト機の射出部であれば、ダイカスト機水平軸に対して傾斜するプランジャ摺動路を有する金型スリーブ及び射出スリーブの射出部でありながら、金型スリーブの交換組付け段取りを確実容易とし、また、ビスケット空間を更に最小化でき、温度調整部材の設置を簡単に確保でき、更に離型性を向上させることができる。
【発明を実施するための最良の形態】
【００１３】
以下に、請求項７に対応する第１実施形態の射出部について図面を参照して説明する。本実施形態に係る射出部を備えるダイカスト機は、横形コールドチャンバ式であり、主要部である型締部、押出部及び射出部の他構成部材については、一般的部材（ＪＩＳ  Ｂ  ６６１２参照）となっており図示を省略する。
【００１４】
図１は第１実施形態に係る射出部１の正面断面図である。射出部１は、プランジャ２が摺動するスリーブとして、固定盤３側に射出スリーブ４及び固定金型５側に金型スリーブ６を有する。射出スリーブ４内には、プランジャ２が摺動するプランジャ摺動路７が設けられ、プランジャ摺動路７の軸線Ｌ１がダイカスト機水平軸Ｌ２に対してプランジャ基端側を高くする傾斜角θに傾斜される。また、金型スリーブ６は射出スリーブ４の延長線上かつ固定金型５内に設けられ、プランジャ摺動路７が同一軸線Ｌ１上に延長され、射出スリーブ４からプランジャ２が連続的に摺動可能とされる。そして、可動金型側の金型スリーブ６の内周面がビスケット空間８の周面９を形成する。他方、図１，図２に示すように、金型スリーブ６の射出スリーブ側端面部６ａの下端には回転止め１５が設けられる。金型スリーブ６は固定金型５に対してボルト等によって固定されることなく、挿入装着されるだけである。このため、回転止め１５は金型スリーブ６が固定金型５へ装着される際の位置決めとして、固定金型５側の位置決め溝５ｃと凹凸係合される。この場合の金型スリーブ６の固定手段は、固定盤３に固定金型５が取付固定されることによって、及び固定金型５が可動金型１１と固定盤３との間に挟まれ固定されることによって構成される。なお、図中符号２６は湯道であり、２７はキャビティであり、２９は押出ピンである。
【００１５】
第１実施形態の第１の特徴として、プランジャ２は傾斜角θの傾きのプランジャ前面１０を有する。この傾斜角θが、プランジャ摺動路７の軸線Ｌ１のダイカスト機水平軸Ｌ２に対しての傾斜角θと同じであるため、プランジャ２がプランジャ摺動路７内を摺動する際、プランジャ前面１０が鉛直状態となって、充填終了工程にて可動金型１１と対向平行状態となってビスケット空間８を形成する。このため、ビスケット空間８は余分な空間を有せず、形成されるビスケットを可及的に薄くすることができる。
【００１６】
次に第２の特徴として、金型スリーブ６は外周部１２及び接合部１３を有する。外周部１２は、プランジャ摺動路７の軸線Ｌ１に対して傾斜角θ分傾斜してダイカスト機水平軸Ｌ２に対して平行となる周面によって形成され、軸方向に位置決め段差１４を有する。接合部１３は、プランジャ摺動路７の射出スリーブ側端面部６ａにおいて、射出スリーブ端部４ａの外径と嵌合可能な内径を有し、この嵌合を基準として射出スリーブ４に対し軸線Ｌ１を同一にして、プランジャ摺動路７を同一軸心状態に接合可能とされる。また、接合部１３の深さは、射出スリーブ端部４ａとの嵌合に必要な最低限の深さとされる。必要以上に深いと嵌合性に対しては良いが、組み付けの容易性には不利となるためである。このため、射出スリーブ端部４ａは接合部１３の深さに対応する突出長さに調整される。金型スリーブ６の全体長は、両端面部６ａ，６ｂが固定金型５に取付後に固定金型５の前，後端面５ａ，５ｂと面一状態となる長さであり、固定金型５への挿入作業及び確認を容易としている。
【００１７】
この構成の外周部１２及び接合部１３であることによって、金型スリーブ６の交換組付段取りが、簡単かつ確実に組み付けられる。即ち、プランジャ摺動路７の傾斜とは関係なく、金型スリーブ６の外周部１２を固定金型５に対して位置決め段差１４にて止まるまで挿入するだけでよいためである。次に、この金型スリーブ６を入れた固定金型５が固定盤３に組み付けられる場合、固定盤３に装着された射出スリーブ４の端部４ａに対して、接合部１３が最初に平行移動され、次に斜め上方へほんの少し移動されるだけで簡単かつ確実に係合される。このため、金型スリーブ６の交換組付段取りの全体が簡単かつ確実となる。なお、図示は省略するが、射出スリーブ４の外周についても、金型スリーブ６の外周部１２と同様に、ダイカスト機水平軸と平行となる形状の構成も採用可能となる。
【００１８】
次に第３の特徴として、金型スリーブ６の可動金型側端面部６ｂにおいて、ビスケット空間８が形成される。すなわち、ビスケット空間８の前端面８ａが、可動金型１１の端面１１ａによって形成され、ビスケット空間８の周面９が前端面８ａ方向へ拡開状に形成される。そして、ビスケット空間８の後端面８ｂが、プランジャ摺動路７と連通し、充填終了時に鉛直状態のプランジャ前面１０によって形成される。この構成によって、ビスケット空間８内に形成されるビスケットを可及的に薄くできる。また、ビスケット空間８の周面９が拡開状であるために、プランジャ２充填時の溶湯の流れが、スムーズであり空気の溜まりも生ぜず、鋳巣等の不具合を防止できる。また、ビスケット空間８に形成されるビスケット形状も離型に適した形状となって、ダイカスト製品の離型性が更に向上する。更に、上述した第１の特徴である鉛直状態のプランジャ前面１０と組み合わせることで、離型性がより向上し、ビスケットも可及的に薄くできる。
【００１９】
また、金型スリーブ６の外周部１２と固定金型５との間において、図１に示すように、温度調整部材１９を配設することも採用できる。温度調整部材１９は、ビスケット空間８付近の温度管理を可能とする加熱部材又は冷却部材等である。加熱部材には、例えばヒートバンド等があり、冷却部材としては、例えば冷却リングがある。この冷却リングは水等の冷却液が流れる循環路を有し、この循環路へ連通する外部装置等から冷却液が循環され、金型スリーブ６を冷却する構成である。温度調整部材１９の設置スペースは、外周部１２がダイカスト機水平軸Ｌ２と平行となるため、固定金型５との間全周に簡単かつ十分に確保でき、確実な温度管理ができる。温度調整部材１９の制御は、金型スリーブ６の単独制御であっても、射出スリーブ４と連動させる制御等の各種制御形態を採用できる。なお、金型スリーブ６の材料は、射出スリーブ４と同じであるが、プランジャ２の摺動性能及び伝熱性能等の特性が保証されれば、射出スリーブ４と同じ材料に限定する必要はない。
【００２０】
次に、請求項８に対応する第２実施形態の射出部は、前述の第１実施形態に対して、第２の特徴である接合部１６の形状を変更することによって、金型スリーブ６の交換組付段取りの確実性及び容易性を向上させる構成であり、他の構成は同じであるため詳細な説明を省略する。この接合部１６は、図３に示すように、内周面１６ａがプランジャ摺動路７の軸線Ｌ１に対して傾斜角θ分傾斜して、ダイカスト機水平軸Ｌ２と平行状態とされる。また、射出スリーブ１７の端部１８は、接合部１６と嵌合する部分の外周面１８ａが、内周面１６ａと同様にプランジャ摺動路７の軸線Ｌ１に対して傾斜角θ分傾斜して、ダイカスト機水平軸Ｌ２と平行状態とされる。このため、金型スリーブ６を挿入した固定金型５が、固定盤３に対して装着される際、接合部１６と端部１８との係合が平行移動のみによって極めて簡単に可能となる。
【００２１】
次に、請求項１，２，３に対応する他の実施形態は、上述した第１実施形態の射出部１における第１の特徴のプランジャ２の前面１０と、第２の特徴の金型スリーブ６の外周部１２と接合部１３と、第３の特徴の金型スリーブ６のビスケット空間８の周面９とを、それぞれ個別に採用する射出部である。各実施形態の射出部の構成は第１実施形態の射出部１の各部と同じため詳細な説明を省略する。また、各々の作用効果も第１実施形態の射出部１の各部の作用効果が個別に働くこととなる。
【００２２】
更に、請求項４，５，６に対応する他の実施形態は、前述の第１実施形態の射出部１の第１から第３の特徴部分を任意に２つ組み合わせる射出部の構成である。請求項４では第１の特徴のプランジャ２の前面１０と、第２の特徴の金型スリーブ６の外周部１２と接合部１３との組み合わせである。請求項５では、第１の特徴のプランジャ２の前面１０と、第３の特徴の金型スリーブ６のビスケット空間８の周面９との組み合わせである。請求項６では、第２の特徴の金型スリーブ６の外周部１２と接合部１３と、第３の特徴の金型スリーブ６のビスケット空間８の周面９との組み合わせとなる。従って、構成の詳細な説明及び作用効果については、各々２つを合わせたものと同様であるため省略する。
【産業上の利用可能性】
【００２３】
本発明は、コールドチャンバ式ダイカスト機の射出部に利用可能であり、特に射出部のプランジャ摺動路の軸線がダイカスト機水平軸に対して傾斜している形式の射出部に対して利用できる。
【図面の簡単な説明】
【００２４】
【図１】第１実施形態の射出部の正面断面図である。
【図２】第１実施形態の固定金型に入った金型スリーブを固定盤側から見た側面図である。
【図３】第２実施形態の射出部の特徴部分である接合部と射出スリーブの端部との断面図である。
【図４】従来のダイカスト機水平軸と平行のプランジャ摺動路を有する射出部の断面図である。
【図５】従来のダイカスト機水平軸と傾斜角θに傾斜するプランジャ摺動路を有する射出部の断面図である。
【符号の説明】
【００２５】
１  射出部  ２，２３  プランジャ  １０，２３ａ  プランジャ前面  ３  固定盤  ５  固定金型  １１  可動金型  ４，１７，２１  射出スリーブ  ４ａ、１８  端部  ６，２２  金型スリーブ  １２  外周部  １３，１６  接合部  １４  位置決め段差  １５  回転止め  ７，２１ａ  プランジャ摺動路  ８，２５  ビスケット空間  ９  周面  １９，２８  温度調整部材  Ｌ１  プランジャ摺動路の軸線  Ｌ２  ダイカスト機水平軸
【図１】
2005161353.tif 000003
【図２】
2005161353.tif 000004
【図３】
2005161353.tif 000005
【図４】
2005161353.tif 000006
【図５】
2005161353.tif 000007